(57)【要約】【課題】簡単な構造で信頼性を向上させ電線との圧接作業を容易化する。【解決手段】圧接端子３０は、嵌合接続部３１と圧接部３３と両者が同一直線上に並ばないように連結する板状の端子本体部３４とを備えて構成され、端子本体部３４は、嵌合接続部３１への相手方接続端子の嵌合方向と圧接部３３に圧接される電線の芯線方向とが交差する状態となりように折り曲げて形成された折曲げ部３５を有する。このため、圧接部３３への電線の圧接時に圧接端子３０に加わる力が直接嵌合接続部３１に影響を与えることは無く、嵌合接続部３１の変形等を防止して端子の信頼性を向上させることができる。【選択図】  図１
2004363024.tif 000002
【特許請求の範囲】
【請求項１】
電線が圧接される金属製の圧接端子であって、
相手方接続端子と嵌合する嵌合接続部と、この嵌合接続部の基端側に形成され前記電線が挿入されるスリット部を有する圧接部と、これら嵌合接続部及び圧接部の間を両者が同一直線上に並ばないように連結する板状の端子本体部とを備えて構成され、
前記端子本体部は、前記嵌合接続部に嵌合される相手方接続端子の嵌合方向と前記圧接部に圧接される電線の芯線方向とが交差する状態となるように折り曲げて形成された折曲げ部を有する
ことを特徴とする圧接端子。
【請求項２】
前記端子本体部の折曲げ部には、ビードが形成されていることを特徴とする請求項１記載の圧接端子。
【請求項３】
複数の電線を平面状に並設したフラットケーブルと圧接される金属製の複数の圧接端子と、
これら複数の圧接端子を収容する複数の端子収容孔を有するコネクタハウジングと、
このコネクタハウジングに嵌合されると共に嵌合前の状態では前記フラットケーブルを嵌合方向と交差する方向に沿って直線状に保持するリテーナと
を備え、
前記複数の圧接端子は、
相手方接続端子と嵌合する嵌合接続部と、この嵌合接続部の基端側に形成され前記電線が挿入されるスリット部を有する圧接部と、これら嵌合接続部及び圧接部の間を両者が同一直線上に並ばないように連結する板状の端子本体部とを備えて構成されると共に、前記端子本体部は、前記嵌合接続部に嵌合される相手方接続端子の嵌合方向と前記圧接部に圧接される電線の芯線方向とが交差する状態となるように折り曲げて形成された折曲げ部を有し、
前記コネクタハウジングは、
前記相手方接続端子を収容した他のコネクタハウジングと嵌合するハウジング嵌合部と、前記複数の端子収容孔と連通すると共に前記リテーナが嵌合するリテーナ嵌合壁が形成されたリテーナ嵌合部とを備えて構成され、
前記リテーナは、
前記リテーナ嵌合部への嵌合時に前記フラットケーブルをその嵌合方向と直交する面と平行に保持するケーブル保持部を備えて構成され、
前記ケーブル保持部は、前記嵌合時に前記リテーナ嵌合部内で前記圧接部に前記電線を挿入し圧接するための端子側開口部を備えてなる
ことを特徴とする圧接コネクタ。
【請求項４】
前記圧接端子の端子本体部の折曲げ部には、ビードが形成されていることを特徴とする請求項３記載の圧接コネクタ。
【請求項５】
それぞれ対向する一対の前記リテーナ嵌合壁の内壁面と前記ケーブル保持部の側面とには、前記嵌合時に前記フラットケーブルを屈曲した状態で保持するための凹部がそれぞれ形成されている
ことを特徴とする請求項３又は４記載の圧接コネクタ。
【請求項６】
それぞれ対向する一対の前記リテーナ嵌合壁の内壁面と前記ケーブル保持部の側面とには、前記リテーナと前記リテーナ嵌合部との嵌合状態を保持するためのリテーナ係止部が形成され、
前記リテーナ係止部は、前記内壁面及び前記側面のいずれか一方に形成されたリテーナ係止突起と、いずれか他方に形成された前記リテーナ係止突起と係合するリテーナ係止凹部とから構成されている
ことを特徴とする請求項３又は４記載の圧接コネクタ。
【請求項７】
前記コネクタハウジングと前記リテーナとの嵌合部分に形成され両者を前記電線と前記圧接部との圧接部分と共に封止固定する樹脂モールド部を更に備え、
前記ケーブル保持部は、前記リテーナ嵌合部内に前記樹脂モールド部を形成するモールド樹脂を充填するための注入開口部を更に備えてなる
ことを特徴とする請求項３〜６のいずれか１項記載の圧接コネクタ。
【請求項８】
前記ケーブル保持部は、前記フラットケーブルを介して対向配置され前記フラットケーブルをその厚さ方向に挟み込んで挟持固定する分割可能な構造の複数の挟持部材から構成され、
前記複数の挟持部材のうちの一方の挟持部材に形成された係合凹部と、前記複数の挟持部材のうちの他方の挟持部材に形成された、前記係合凹部と係合する係合突起部を有する係合片部とからなる係合部を備えてなる
ことを特徴とする請求項３〜７のいずれか１項記載の圧接コネクタ。
【請求項９】
前記ケーブル保持部は、前記フラットケーブルを介して対向配置され前記フラットケーブルをその厚さ方向に挟み込んで挟持固定する複数の挟持部材と、
これら複数の挟持部材の一方の端部同士を結合するヒンジ部と、
前記複数の挟持部材の他方の端部同士を係合して固定する係合部とを一体的に形成して構成され、
前記係合部は、
前記複数の挟持部材のうちの一方の挟持部材の前記他方の端部に形成された係合凹部と、
前記複数の挟持部材のうちの他方の挟持部材の前記他方の端部に形成された、前記係合凹部と係合する係合突起部を有する係合片部とから構成されている
ことを特徴とする請求項３〜７のいずれか１項記載の圧接コネクタ。
【請求項１０】
前記複数の挟持部材は、
前記フラットケーブルとの対向面に前記フラットケーブルを構成する各電線の被覆外周径に合わせて形成された、前記各電線の芯線方向に延び前記各電線の配列方向に複数配列形成された固定溝部を備える
ことを特徴とする請求項８又は９記載の圧接コネクタ。
【発明の詳細な説明】
【０００１】
【発明の属する技術分野】
この発明は、自動車等に用いられるフラットケーブルからなるワイヤハーネスに圧接される圧接端子及び圧接コネクタに関し、特に端子の信頼性を向上させ電線との圧接作業を容易にすることができる圧接端子及び圧接コネクタに関する。
【０００２】
【従来の技術】
従来より、電線の被覆を破ることにより電線との導通を図る圧接部を有する圧接端子を収容した圧接コネクタにワイヤハーネスの電線を圧接する場合、圧接専用の治具などを用いた圧接作業が行われている（例えば、特許文献１参照。）。
また、複数の電線を平面状に並設した構造からなるフラットケーブルから構成されるフラットハーネスの電線を圧接コネクタに圧接する場合にも、圧接専用の治具などが用いられることがある（例えば、特許文献２参照。）。
【０００３】
【特許文献１】
実開平７−４１９８２号公報（第６頁、第７−９図）
【特許文献２】
特開平１０−１３４８６１号公報（第３−４頁、第１−７図）
【０００４】
【発明が解決しようとする課題】
しかしながら、特許文献１及び特許文献２に記載の圧接コネクタでは、電線の圧接に圧接専用の治具が必要となると共に、特に特許文献２の圧接コネクタでは、各圧接端子の圧接部にフラットハーネスの電線を位置合わせを行ってから圧接しなければならないため、圧接作業が繁雑になるという問題がある。また、特許文献２の圧接コネクタに用いられる圧接端子は、端子強度を向上させて信頼性を高めるために、相手方接続端子に嵌合される嵌合部とフラットケーブルの電線を圧接する圧接部との間に補強材としての補強板を備えるため、圧接端子の構造が複雑となる場合がある。
【０００５】
この発明は、このような問題点に鑑みてなされたもので、簡単な構造で端子の信頼性を向上させることができると共に電線との圧接作業を容易にすることができる圧接端子及び圧接コネクタを提供することを目的とする。
【０００６】
【課題を解決するための手段】
この発明に係る圧接端子は、電線が圧接される金属製の圧接端子であって、相手方接続端子と嵌合する嵌合接続部と、この嵌合接続部の基端側に形成され前記電線が挿入されるスリット部を有する圧接部と、これら嵌合接続部及び圧接部の間を両者が同一直線上に並ばないように連結する板状の端子本体部とを備えて構成され、前記端子本体部は、前記嵌合接続部に嵌合される相手方接続端子の嵌合方向と前記圧接部に圧接される電線の芯線方向とが交差する状態となるように折り曲げて形成された折曲げ部を有することを特徴とする。
【０００７】
この発明の圧接端子によれば、圧接端子の嵌合接続部と圧接部との間を連結する端子本体部が、圧接端子に嵌合・圧接される相手方接続端子の嵌合方向と電線の芯線方向とが交差する状態となるように折り曲げて形成された折曲げ部を有するため、例えば電線との圧接の際に圧接部に加わる力が嵌合接続部に直接影響を与えないように構成することが可能となる。これにより、簡単な構成で端子の信頼性を向上させることができる。
【０００８】
なお、この発明の圧接端子の端子本体部の折曲げ部には、例えばビードが形成されている。ビードを形成すれば、折曲げ部の強度を向上させることができる。
【０００９】
この発明に係る圧接コネクタは、複数の電線を平面状に並設したフラットケーブルと圧接される金属製の複数の圧接端子と、これら複数の圧接端子を収容する複数の端子収容孔を有するコネクタハウジングと、このコネクタハウジングに嵌合されると共に嵌合前の状態では前記フラットケーブルを嵌合方向と交差する方向に沿って直線状に保持するリテーナとを備え、前記複数の圧接端子は、相手方接続端子と嵌合する嵌合接続部と、この嵌合接続部の基端側に形成され前記電線が挿入されるスリット部を有する圧接部と、これら嵌合接続部及び圧接部の間を両者が同一直線上に並ばないように連結する板状の端子本体部とを備えて構成されると共に、前記端子本体部は、前記嵌合接続部に嵌合される相手方接続端子の嵌合方向と前記圧接部に圧接される電線の芯線方向とが交差する状態となるように折り曲げて形成された折曲げ部を有し、前記コネクタハウジングは、前記相手方接続端子を収容した他のコネクタハウジングと嵌合するハウジング嵌合部と、前記複数の端子収容孔と連通すると共に前記リテーナが嵌合するリテーナ嵌合壁が形成されたリテーナ嵌合部とを備えて構成され、前記リテーナは、前記リテーナ嵌合部への嵌合時に前記フラットケーブルをその嵌合方向と直交する面と平行に保持するケーブル保持部を備えて構成され、前記ケーブル保持部は、前記嵌合時に前記リテーナ嵌合部内で前記圧接部に前記電線を挿入し圧接するための端子側開口部を備えてなることを特徴とする。
【００１０】
この発明の圧接コネクタによれば、コネクタハウジングに取り付けられるリテーナのケーブル保持部に、保持したフラットケーブルの電線をコネクタハウジングに収容した圧接端子に挿入して圧接するための端子側開口部を備えたため、このリテーナをコネクタハウジングに装着することで、フラットケーブルの電線と圧接端子の圧接部とを圧接することが可能となる。また、コネクタハウジングに収容される圧接端子の端子本体部が、上記のように折曲げ部を有するため、圧接時の力により嵌合接続部が変形したりすることを防ぐことが可能となる。このため、圧接時の圧接端子の信頼性を向上させつつフラットケーブルと圧接端子との圧接作業を容易に行うことができる。
【００１１】
なお、この圧接コネクタに用いられる圧接端子の端子本体部の折曲げ部には、例えばビードが形成されている。
【００１２】
また、それぞれ対向する一対のリテーナ嵌合壁の内壁面とケーブル保持部の側面とには、例えばリテーナのリテーナ嵌合部への嵌合時にフラットケーブルを屈曲した状態で保持するための凹部がそれぞれ形成されている。これにより、電線と圧接部との圧接部分に対するストレインリリーフ構造を実現することが可能となる。
【００１３】
なお、圧接コネクタに上記凹部が形成された場合、その内壁面及び側面以外のそれぞれ対向する一対の内壁面及び側面には、例えばリテーナとリテーナ嵌合部との嵌合状態を保持するためのリテーナ係止部が形成されており、この場合リテーナ係止部は、内壁面及び側面のいずれか一方に形成されたリテーナ係止突起と、いずれか他方に形成された前記リテーナ係止突起と係合するリテーナ係止凹部とから構成されている。
【００１４】
ここで、圧接コネクタは、例えばコネクタハウジングとリテーナとの嵌合部分に形成され両者を電線と圧接部との圧接部分と共に封止固定する樹脂モールド部を更に備えていても良く、この場合、ケーブル保持部は、リテーナ嵌合部内に樹脂モールド部を形成するモールド樹脂を充填するための注入開口部を更に備えてなる。
【００１５】
なお、リテーナのケーブル保持部としては、以下のようなものでも良い。即ち、ケーブル保持部は、例えばフラットケーブルを介して対向配置されフラットケーブルをその厚さ方向に挟み込んで挟持固定する分割可能な構造の複数の挟持部材から構成されており、複数の挟持部材のうちの一方の挟持部材に形成された係合凹部と、複数の挟持部材のうちの他方の挟持部材に形成された、係合凹部と係合する係合突起部を有する係合片部とからなる係合部を備えてなる。
【００１６】
また、ケーブル保持部は、例えばフラットケーブルを介して対向配置されフラットケーブルをその厚さ方向に挟み込んで挟持固定する複数の挟持部材と、これら複数の挟持部材の一方の端部同士を結合するヒンジ部と、複数の挟持部材の他方の端部同士を係合して固定する係合部とを一体的に形成して構成されており、係合部は、複数の挟持部材のうちの一方の挟持部材の他方の端部に形成された係合凹部と、複数の挟持部材のうちの他方の挟持部材の他方の端部に形成された、係合凹部と係合する係合突起部を有する係合片部とから構成されている。
【００１７】
この場合、複数の挟持部材は、例えばフラットケーブルとの対向面にフラットケーブルを構成する各電線の被覆外周径に合わせて形成された、各電線の芯線方向に延び各電線の配列方向に複数配列形成された固定溝部を備える。
【００１８】
【発明の実施の形態】
以下、添付の図面を参照して、この発明の好ましい実施の形態を説明する。
図１は、この発明の一実施形態に係る圧接端子を示す斜視図である。
圧接端子３０は、例えば板状の金属母材を打ち抜き／折り曲げ加工して形成されており、例えば相手方接続端子（図示せず。以下同じ。）が嵌合する筒状の嵌合接続部３１と、この嵌合接続部３１の基端側に形成され後述するフラットケーブルの電線が挿入される圧接スリット部３２を有する圧接部３３と、これら嵌合接続部３１及び圧接部３３の間を、例えば両者が同一直線上に並ばないように連結する板状の端子本体部３４とを備えて構成され、端子本体部３４は、嵌合接続部３１に嵌合される相手方接続端子の嵌合方向と圧接部３３に圧接される電線の芯線方向とが交差する状態（例えば、直交する状態）となるように折り曲げて形成された折曲げ部３５を有する。この折曲げ部３５には、例えばビード３６が形成されており、折曲げ部３５の機械的強度を高めるべく補強が施されている。なお、この例の圧接端子３０の端子本体部３４には、嵌合接続部３１の基端側に嵌合接続部３１と同軸的に連結され、先端側及び基端側にモールド流入を規制するためのストッパ３７ａ，３７ｂにそれぞれスリット部３８ａ，３８ｂが形成された箱型の折返し部３７が備えられている。この折返し部３７は、後述する圧接コネクタのコネクタハウジングの端子収容孔に、嵌合接続部３１と同様に端子本体部３４と共にその内壁面にぴったりと密着して嵌り収容される構造となっている。
【００１９】
このように構成された圧接端子３０では、圧接部３３への電線の圧接時に圧接端子３０に加わる力が直接嵌合接続部３１に影響を与えることは無く、圧接の際に起こる嵌合接続部３１の変形などを防止して端子の信頼性を向上させることができる。また、上述したように、端子本体部３４の折曲げ部３５にビード３６などの補強を施せば、折曲げ部３５の機械的強度を更に高めることができるため、信頼性を更に向上させることができる。なお、例えば嵌合接合部３１と折返し部３７との間の部分の端子本体部３４を湾曲形状に成形すれば、嵌合接合部３１への相手方接続端子の嵌合時に圧接端子３０に対して発生する応力を十分に吸収することが可能となり、端子の信頼性を更に向上させることができる。
【００２０】
図２〜図４は、この発明の一実施形態に係る圧接コネクタを説明するための斜視図、図５は、この圧接コネクタのリテーナの展開斜視図、図６は、この圧接コネクタの他のリテーナの展開斜視図、図７は、図４のＡ−Ａ´断面図、図８は、図４のＢ−Ｂ´断面図、図９は、図４のＣ−Ｃ´断面図である。なお、以降において、既に説明した部分と重複する説明は割愛する。
圧接コネクタ１´は、主に例えば樹脂成型部材からなるコネクタハウジング８０と、このコネクタハウジング８０に収容される複数の上述した圧接端子３０と、コネクタハウジング８０に装着（嵌合）されると共に嵌合前の状態ではフラットケーブル５０を嵌合方向と交差する方向に沿って直線状に保持するコネクタハウジング８０と同じく樹脂成型部材からなるリテーナ９０とを備えて構成されている。
【００２１】
コネクタハウジング８０は、主に圧接端子３０を内部に収容する複数の端子収容孔８１（図７及び図９参照）と、圧接端子３０と接続する相手方接続端子を内部に収容した他のコネクタハウジング（図示せず。以下同じ。）と嵌合するハウジング嵌合部８２と、端子収容孔８１と連通しリテーナ９０が内部に嵌合する環状のリテーナ嵌合壁８３が形成されたリテーナ嵌合部８４とを備えて構成されている。
【００２２】
リテーナ９０に保持されるフラットケーブル５０は、この例では絶縁被覆５１に芯線５２が覆われた複数の電線５３を平面状に並設し、各電線５３の間を絶縁被覆５１と同じく絶縁樹脂からなるブリッジ部５４で連結した構造からなり、可撓性を備えて構成されている。なお、圧接端子３０の圧接部３３との圧接を容易にするために、例えばフラットケーブル５０の少なくともリテーナ９０に保持される部分には、ブリッジ部５４に該当する部分にスリット５５が形成されている。また、このフラットケーブル５０としては、例えば単体からなる複数の電線５３をブリッジ部５４で連結せずに各々独立して平面状に並設したものでも良い。
【００２３】
コネクタハウジング８０の端子収容孔３０に収容される圧接端子３０は、既述したように、筒状の嵌合接続部３１と、圧接スリット部３２を有する圧接部３３と、折曲げ部３５を有する端子本体部３４とを備えて構成されており、図７に示すように、嵌合接続部３１には、例えば相手方接続端子との接続状態を良好にするための弾性接触片３９が形成されている。なお、既述の通り、端子本体部３４に形成された折返し部３７は、端子本体部３４と共にその短手方向外周面がコネクタハウジング８０の端子収容孔８１の内壁面に密着した状態で嵌り収容されている。
【００２４】
一方、リテーナ９０は、コネクタハウジング８０のリテーナ嵌合部８４への嵌合時にフラットケーブル５０をその嵌合方向に対して直交する面と平行に保持する板状のケーブル保持部９１を備えて構成されている。この例のケーブル保持部９１は、例えばフラットケーブル５０をその厚さ方向に挟み込んで挟持固定する矩形板状の第１挟持部材９２及び矩形枠状の第２挟持部材９３（図５参照）と、これら第１及び第２挟持部材９２，９３の一方の端部同士を結合するヒンジ部９４と、第１及び第２挟持部材９２，９３の他方の端部同士を係合して固定する係合部９５とを一体的に形成して構成されている。
【００２５】
なお、係合部９５は、例えば第１挟持部材９２のヒンジ部９４側と反対側の端部に形成された係合凹部９６と、第２挟持部材９３のヒンジ部９４側と反対側の端部に形成された、係合凹部９６と係合する係合突起部９８を有する係合片部９７とから構成されている。
【００２６】
ここで、例えば第１及び第２挟持部材９２，９３は、ヒンジ部９４で一体的に連結された構造以外に、図６に示すように、互いに分割可能な構造からなるものでも良い。この場合、係合部９５は、例えば第１及び第２挟持部材９２，９３のうちの一方（ここでは第１挟持部材９２）の端部に対角状に形成された係合凹部９６と、他方（ここでは第２挟持部材９３）の端部に係合凹部９６と対応する対角状に形成された係合片部９７とから構成されていると良い。このように構成された係合部９５では、両挟持部材９２，９３を確実に一体的に係合可能である。
【００２７】
なお、このケーブル保持部９１の第２挟持部材９３には、圧接端子３０の圧接部３３にフラットケーブル５０の電線５３を挿入して圧接するための端子側開口部９３ａが形成されている。また、第１挟持部材９２には、保持したフラットケーブル５０の各電線５３のうちの少なくとも１つの電線５３をケーブル保持部９１において切断する切断刃９９（図７参照）を挿入するための切断刃挿入開口部９２ｂと、圧接部３３の電線５３との圧接時に、圧接部３３が第１挟持部材９２に当接しないようにするための逃げ凹み部９２ａとが形成されている。
【００２８】
なお、このケーブル保持部９１では、第２挟持部材９３の第１挟持部材９２の切断刃挿入開口部９２ｂと対応する部分に切断刃挿通開口部９３ｂが形成されており、切断刃９９がケーブル保持部９１を切断刃挿入開口部９２ｂ及び切断刃挿通開口部９３ｂを通して貫通する構造となっている。この圧接コネクタ１´では、リテーナ９０のケーブル保持部９１が、このように構成された第１及び第２挟持部材９２，９３を備えるため、例えばフラットケーブル５０を挟持固定した後、第１挟持部材９２の切断刃挿入開口部９２ｂに切断刃９９を挿入し、フラットケーブル５０の各電線５３が構成する回路を、所定の電線５３を切断することにより変更等してリテーナ９０を図２中矢印で示す方向に移動させてコネクタハウジング８０に装着するだけで、フラットケーブル５０の回路数を任意に変更して電線５３を圧接端子３０の圧接部３３に挿入して圧接することが可能となる。なお、フラットケーブル５０の回路数を変更する必要が無い場合は、第１及び第２挟持部材９２，９３に切断刃挿入開口部９２ｂ及び切断刃挿通開口部９３ｂが形成されていなくても良い。
【００２９】
また、リテーナ９０のケーブル保持部９１の第１及び第２挟持部材９２，９３のそれぞれの対向端部には、例えばフラットケーブル５０を構成する各電線５３の被覆外周径に合わせて形成された各電線５３の芯線５２方向に延びると共に各電線５３の配列方向に複数配列形成された、各電線５３を安定して確実にケーブル保持部９１で保持するための固定溝部９１ｃが備えられている。
【００３０】
このケーブル保持部９１の第１挟持部材９２の一対の側面には、例えばフラットケーブル５０の各電線５３の被覆外周径に合わせて複数形成されたリテーナ側凹部９１ａが備えられており、コネクタハウジング８０のリテーナ嵌合部８４においてリテーナ９０がリテーナ嵌合部８４に嵌合した際に、これらリテーナ側凹部９１ａと対向するリテーナ嵌合壁８３の一対の内壁面には、同じくフラットケーブル５０の各電線５３の被覆外周径に合わせて複数形成されたハウジング側凹部８３ａが備えられている。
【００３１】
このように、ケーブル保持部９１とリテーナ嵌合壁８３とにリテーナ側凹部９１ａ及びハウジング側凹部８３ａが備えられていると、これらリテーナ側凹部９１ａ及びハウジング側凹部８３ａで、リテーナ９０のリテーナ嵌合部８４への嵌合時にケーブル保持部９１がその嵌合方向に対して直交する面と平行に保持していたフラットケーブル５０を、図３に示すような屈曲した状態に保持することができるため、圧接コネクタ１´のリテーナ嵌合部８４内における圧接端子３０の圧接部３３とフラットケーブル５０の電線５３との圧接部分に対して、いわゆるストレインリリーフ構造を具備することが可能となる。
【００３２】
なお、図４に示すように、リテーナ９０とコネクタハウジング８０とで屈曲状態に保持したフラットケーブル５０を、例えばリテーナ嵌合壁８３の周縁部で再び折り曲げるようにすれば、圧接端子３０の圧接部３３とフラットケーブル５０の電線５３との圧接部分に対して更に強いストレインリリーフ構造を具備することが可能となる。
【００３３】
また、リテーナ９０のケーブル保持部９１とリテーナ嵌合部８４のリテーナ嵌合壁８３におけるリテーナ側凹部９１ａ及びハウジング側凹部８３ａが形成された以外の側面及び内壁面には、例えばリテーナ係止部８９が形成されている。このリテーナ係止部８９は、例えばケーブル保持部９１の第１挟持部材９２の側面に形成されたリテーナ係止突起９１ｂと、リテーナ嵌合壁８３の内壁面に形成されたリテーナ係止突起９１ｂと係合するリテーナ係止凹部８３ｂとから構成されている。このように構成されたリテーナ係止部８９により、リテーナ９０とコネクタハウジング８０との嵌合状態を確実に維持することができる。
【００３４】
従って、このように構成された圧接コネクタ１´では、フラットケーブル５０を保持したリテーナ９０を図２中矢印で示す方向に移動させコネクタハウジング８０に装着するだけで、フラットケーブル５０の電線５３を圧接端子３０の圧接部３３に挿入して圧接することができる。このため、フラットケーブル５０と圧接端子３０との圧接作業を容易に行うことが可能となる。
【００３５】
また、コネクタハウジング８０の端子収容孔８１に収容される圧接端子３０が、相手方接続端子の嵌合方向と圧接された電線５３の芯線５２方向とが交差する状態となるように折り曲げて形成された折曲げ部３５を有する端子本体部３４を備え、この端子本体部３４で嵌合接続部３１と圧接部３３とを両者が同一直線上に並ばないように連結するため、電線５３の圧接部３３への圧接時に圧接端子３０に加わる力により嵌合接続部３１が変形したりすることを防ぐことが可能となる。このため、圧接端子の信頼性を向上させることができる。
【００３６】
また、例えばフラットケーブル５０を保持したリテーナ９０の第１挟持部材９２の切断刃挿入開口部９２ｂに切断刃９９を挿入し、フラットケーブル５０の各電線５３が構成する回路を所定の電線５３を切断することにより容易に変更等することが可能となる。
【００３７】
更に、リテーナ９０とコネクタハウジング８０とでフラットケーブル５０をケーブル保持部９１で保持した部分に対して屈曲した状態で保持することができるため、圧接端子３０と電線５３との圧接部分に対してストレインリリーフ構造を具備することが可能となる。
【００３８】
図１０は、この発明の他の実施形態に係る圧接コネクタを説明するための斜視図、図１１は、図１０のＤ−Ｄ´断面図である。
この圧接コネクタ１Ａは、コネクタハウジング８０とリテーナ９０の他に、これらの嵌合部分を圧接端子３０の圧接部３３とフラットケーブル５０の電線５３との圧接部分と共に封止固定する樹脂モールド部７０が形成されている点が、先の例の圧接コネクタ１´と相違している。この樹脂モールド部７０は、リテーナ９０の第１挟持部材９２の切断刃挿入開口部９２ｂからリテーナ９０が嵌合したコネクタハウジング８０のリテーナ嵌合部８４内を満たすようにモールド樹脂を充填することにより形成されている。この場合、切断刃挿入開口部９２ｂは、モールド樹脂の注入開口部としての役割を兼ねるものである。こうして形成された樹脂モールド部７０により、コネクタハウジング８０とリテーナ９０との嵌合部分を圧接部３３と電線５３との圧接部分と共に更に確実に固定することが可能となる。その他の効果については既述した圧接コネクタ１´と同様であるため、ここでは説明を省略する。
【００３９】
【発明の効果】
以上述べたように、この発明の圧接端子によれば、圧接端子の嵌合接続部と圧接部との間を連結する端子本体部が、圧接端子に嵌合・圧接される相手方接続端子の嵌合方向と電線の芯線方向とが交差する状態となるように折り曲げて形成された折曲げ部を有するため、例えば電線との圧接の際に圧接部に加わる力が嵌合接続部に直接影響を与えないように構成することが可能となる。これにより、簡単な構成で端子の信頼性を向上させることができる。
【００４０】
また、この発明の圧接コネクタによれば、コネクタハウジングに取り付けられるリテーナのケーブル保持部に、保持したフラットケーブルの電線をコネクタハウジングに収容した圧接端子に挿入して圧接するための端子側開口部を備えたため、このリテーナをコネクタハウジングに装着することで、フラットケーブルの電線と圧接端子の圧接部とを圧接することが可能となる。また、コネクタハウジングに収容される圧接端子の端子本体部が、上記のように折曲げ部を有するため、圧接時の力により嵌合接続部が変形したりすることを防ぐことが可能となる。このため、圧接時の圧接端子の信頼性を向上させつつフラットケーブルと圧接端子との圧接作業を容易に行うことができる。
【図面の簡単な説明】
【図１】この発明の一実施形態に係る圧接端子を示す斜視図である。
【図２】この発明の一実施形態に係る圧接コネクタを説明するための斜視図である。
【図３】同圧接コネクタを説明するための斜視図である。
【図４】同圧接コネクタを説明するための斜視図である。
【図５】同圧接コネクタのリテーナの展開斜視図である。
【図６】同圧接コネクタの他のリテーナの展開斜視図である。
【図７】図４のＡ−Ａ´断面図である。
【図８】図４のＢ−Ｂ´断面図である。
【図９】図４のＣ−Ｃ´断面図である。
【図１０】この発明の他の実施形態に係る圧接コネクタを説明するための斜視図である。
【図１１】図１０のＤ−Ｄ´断面図である。
【符号の説明】１´，１Ａ…圧接コネクタ、３０…圧接端子、３１…嵌合接続部、３２…圧接スリット部、３３…圧接部、３４…端子本体部、３５…折曲げ部、３６…ビード、３７…折返し部、３７ａ，３７ｂ…ストッパ、３８ａ，３８ｂ…スリット部、３９…弾性接触片、５０…フラットケーブル、５１…絶縁被覆、５２…芯線、５３…電線、５４…ブリッジ部、５５…スリット、７０…樹脂モールド部、８０…コネクタハウジング、８１…端子収容孔、８２…ハウジング嵌合部、８３…リテーナ嵌合壁、８４…リテーナ嵌合部、９０…リテーナ、９１…ケーブル保持部、９２…第１挟持部材、９３…第２挟持部材、９４…ヒンジ部、９５…係合部、９６…係合凹部、９７…係合片部、９８…係合突起部、９９…切断刃。
【図１】
2004363024.tif 000003
【図２】
2004363024.tif 000004
【図３】
2004363024.tif 000005
【図４】
2004363024.tif 000006
【図５】
2004363024.tif 000007
【図６】
2004363024.tif 000008
【図７】
2004363024.tif 000009
【図８】
2004363024.tif 000010
【図９】
2004363024.tif 000011
【図１０】
2004363024.tif 000012
【図１１】
2004363024.tif 000013